(57)【要約】【課題】自動車の運転中にボトルキャップの置き場に困ることがなく、利用上の付加価値を高めた、ボトルキャップ保持機能のあるボトル用付属具を提供する。【解決手段】ボトル本体Ｂの首部に外挿される保持孔２を有する保持片部３と、保持片部３に接続され、内部に販促物品Ｈが挿入される袋部４と、を有し、袋部４の表面には、ボトル本体Ｂから開栓されたボトルキャップＣが粘着状に保持される粘着剤のコーティングによる粘着部５が設けられ、袋部４は、保持片部３の外側辺に沿って一体に接続される熱可塑性のプラスチック袋により形成され、袋部４の内部に前記販促物品Ｈが封入されている。【選択図】  図２
2012240692.tif 000002
【特許請求の範囲】
【請求項１】
ボトル本体の首部に外挿される保持孔を有する保持片部と、保持片部に接続され、販促物品が保持される物品保持部と、を有し、物品保持部の表面には、ボトル本体から開栓されたボトルキャップが粘着状に保持される粘着部が設けられていることを特徴とするボトル用付属具。
【請求項２】
前記物品保持部は、内部に販促物品が挿入される袋部により形成され、前記粘着部は、前記物品保持部を形成する袋部の表面の少なくとも一部に形成され、粘着部の表面が剥離紙によって覆われているとともに、剥離紙の一部又は全部が、粘着部から剥離可能とされていることを特徴とする請求項１に記載のボトル用付属具。
【請求項３】
前記物品保持部を形成する袋部は、前記保持片部の外側辺に沿って一体に接続される熱可塑性のプラスチック袋により形成され、袋部の内部に前記販促物品が封入されていることを特徴とする請求項１又は２に記載のボトル用付属具。
【請求項４】
ボトル本体の首部に外挿される保持孔を有する保持片部と、ボトル本体から開栓されたボトルキャップが粘着状に保持される粘着部と、が連続して設けられており、保持片部及び粘着部の連続する外側辺に連続して、販促物品が保持される物品保持部が設けられていることを特徴とするボトル用付属具。
【請求項５】
前記保持片部と前記粘着部とは、矩形状に連続した形状であって、粘着部の一部又は略全面部には剥離紙が剥離可能に設けられており、前記物品保持部は、内部に販促物品が挿入される袋部により形成され、該袋部は、前記保持片部及び粘着部の連続する外側辺に沿って一体に接続される熱可塑性のプラスチック袋により形成され、袋部の内部に前記販促物品が挿入されていることを特徴とする請求項４に記載のボトル用付属具。
【請求項６】
ボトル本体の首部に外挿される保持孔を有する保持片部と、該保持片部の一側に設けられ、ボトル本体から開栓されたボトルキャップが粘着状に保持される粘着部と、保持片部の他側に設けられ、販促物品が保持される物品保持部と、が保持片部を中間位置として左右に粘着部と物品保持部とが連続するように設けられていることを特徴とするボトル用付属具。
【請求項７】
前記物品保持部は、内部に販促物品が挿入される袋部により形成され、該袋部と前記保持片部とは、ミシン目などの易切り取り線を介して容易に切り取り可能に設けられていることを特徴とする請求項６に記載のボトル用付属具。
【請求項８】
ボトル本体の首部の外挿される保持孔を有する保持片部、を有し、保持片部に連続して、ボトル本体から開栓されたボトルキャップが粘着状に保持される粘着部が設けられており、粘着部又はその延長部の先端が、ボトル本体に閉栓されたボトルキャップの頭部に接着され、該接着された粘着部又はその延長部とボトルキャップの間の空間が販促物品の保持空間とされていることを特徴とするボトル用付属具。
【請求項９】
前記粘着部の一部又は略全面部には、剥離紙が剥離可能に設けられていることを特徴とする請求項８に記載のボトル用付属具。
【発明の詳細な説明】
【技術分野】
【０００１】
本発明は、主として、清涼飲料水などのプラスチックボトル又は缶ボトルのボトルキャップを、ボトル本体から開栓後、ボトル本体の側に仮保持させるためのボトル用付属具に関する。
【背景技術】
【０００２】
例えば、自動車の運転中に、清涼飲料水のペットボトルを開栓して飲み、開栓後のボトル本体を運転席にあるボトルホルダーに載置することがあるが、開栓後のボトルキャップの置き場に困ることがある。
【０００３】
このような事情に鑑み、ボトル本体の首部と開栓後のボトルキャップを、ジョイント部を介して連結するようにしたプラスチックボトルキャップの構造が下記特許文献１に示されている。
また、ボトル本体の首部に保持孔を介して保持させるようにしたボトルキャップ保持具に粘着部を設け、開栓後のボトルキャップを粘着保持させるようにしたボトルキャップ保持具が、下記特許文献２に示されている。
【先行技術文献】
【特許文献】
【０００４】
【特許文献１】特開２００５−１５０５２
【特許文献２】特開２００３−１６０１６３
【発明の概要】
【発明が解決しようとする課題】
【０００５】
しかしながら、上述した特許文献１のボトルキャップの構造では、ボトルキャップの構造と製造が複雑になるという問題がある他、上記のジョイント部は、千切れ易く、開栓後に千切れた場合には、ボトルキャップの置き場に困ることとなる。
さらに、上述した特許文献２のボトルキャップ保持具は、自動車の運転中以外に用途がなく、普及性に問題がある。
【０００６】
本発明は上記状況に鑑みてなされたもので、上述した自動車の運転中にボトルキャップの置き場に困ることがなく、利用上の付加価値を高めた、ボトルキャップ保持機能のあるボトル用付属具を提供することを目的とする。
【課題を解決するための手段】
【０００７】
次に、上記の課題を解決するための手段を、実施の形態に対応する図面を参照して説明する。
【０００８】
請求項１のボトル用付属具１（図１〜図３の実施形態１参照）では、ボトル本体Ｂの首部に外挿される保持孔２を有する保持片部３と、保持片部３に接続され、販促物品Ｈが保持される物品保持部と、を有し、物品保持部の表面には、ボトル本体Ｂから開栓されたボトルキャップＣが粘着状に保持される粘着剤のコーティングによる粘着部５が設けられていることを特徴とする。
【０００９】
請求項２では、前記物品保持部は、内部に販促物品Ｈが挿入される袋部４により形成され、前記粘着部５は、前記物品保持部を形成する袋部４の表面の少なくとも一部に粘着剤が設けられることにより形成され、粘着部５の表面が剥離紙６（６’）によって覆われているとともに、剥離紙６（６’）の一部又は全部が、粘着部５から剥離可能とされていることを特徴とする。
【００１０】
請求項３では、前記物品保持部を形成する袋部４は、前記保持片部３の外側辺に沿って一体に接続される熱可塑性のプラスチック袋により形成され、袋部４の内部に前記販促物品Ｈが封入されていることを特徴とする。
【００１１】
請求項４のボトル用付属具１０１（図４〜図６の実施形態２参照）では、ボトル本体Ｂの首部に外挿される保持孔２を有する保持片部３と、ボトル本体Ｂから開栓されたボトルキャップＣが粘着状に保持される粘着部１０５と、が略矩形状に連続して設けられており、保持片部３及び粘着部１０５の連続する外側辺に連続して、販促物品Ｈが保持される物品保持部が設けられていることを特徴とする。
【００１２】
請求項５では、前記保持片部３と前記粘着部１０５とは、厚紙シート又はプラスチックシートが矩形状に連続した形状であって、粘着部１０５の一部又は略全面部には剥離紙６（６’）が剥離可能に設けられており、前記物品保持部は、内部に販促物品Ｈが挿入される袋部４により形成され、該袋部４は、前記保持片部３及び粘着部１０５の連続する外側辺に沿って一体に接続される熱可塑性のプラスチック袋により形成され、袋部４の内部に前記販促物品Ｈが封入されていることを特徴とする。
【００１３】
上記ボトル用付属具１（１０１）の使用方法を説明する。
ボトル用付属具１（１０１）は、その保持孔２を開栓前のボトル本体Ｂの首部に掛けておき、開栓後には、ボトルキャップＣを、剥離紙６を剥離した粘着部５（１０５）に粘着保持させる。このようにして、例えば、自動車運転中に、開栓したボトルから飲料を飲んだ後、ボトル本体Ｂを自動車のボトルホルダーに載置した場合、ボトルキャップＣが邪魔になるということがない。袋部４中のおまけと称される販促物品Ｈは、袋部４から分離して取り出すが、開栓前に取り出しても、開栓後に取り出しても良い。
【００１４】
上記の物品保持部は、袋部以外の構成、例えば、粘着層を設けたフラップや粘着テープ又は嵌合具などを用いて、販促物品Ｈを保持させるような構成としても差し支えない。
【００１５】
図１乃至図３のボトル用付属具１では、袋部４の表面の粘着部５にボトルキャップＣが粘着保持されるため、袋部４を破いて、中の販促物品Ｈを取り出した後の粘着部５にボトルキャップＣが粘着保持させることが、その粘着保持作業が確実となる。
【００１６】
図４乃至図６のボトル用付属具１０１では、開栓後のボトルキャップＣを粘着保持する粘着部１０５が袋部４とは分離された位置にあるため、ボトルキャップＣを粘着保持させる時に、販促物品Ｈが邪魔になるということがない。また、袋部４を破いて、中の販促物品Ｈを取り出した後でも、粘着部１０５が破損するということがなく、ボトルキャップＣを容易に粘着保持させることができる。
【００１７】
請求項６のボトル用付属具２０１（図７の実施形態３参照）では、ボトル本体Ｂの首部に外挿される保持孔２を有する保持片部３と、該保持片部３の一側に設けられ、ボトル本体Ｂから開栓されたボトルキャップＣが粘着状に保持される粘着部２０５と、保持片部３の他側に設けられ、販促物品Ｈが保持される物品保持部と、が保持片部３を中間位置として左右に粘着部２０５と物品保持部とが全体として略長方形状に連続するように設けられていることを特徴とする。
【００１８】
請求項７では、前記物品保持部は、内部に販促物品Ｈが挿入される袋部４により形成され、該袋部４と前記保持片部３とは、ミシン目などの易切り取り線９を介して容易に切り取り可能に設けられていることを特徴とする。
【００１９】
上記ボトル用付属具２０１の使用方法を説明する。
ボトル用付属具２０１は、その中間の保持孔２を開栓前のボトル本体Ｂの首部に掛けるとともに、図７（Ｃ）に示すように、左右の袋部４と粘着部２０５の両端を、上向き略Ｕ状に折り曲げて、閉栓されたボトルキャップＣに接着させる。このように接着させることにより、ボトルのキャップ上に、ボトル用付属具２０１をコンパクトに配置できる。
上記接着を解いて、開栓したボトルキャップＣを、粘着部２０５に粘着保持させる。また、開栓の前又は後に、切り取り線９から袋部４を切除して、販促物品Ｈを分離させることができる。
【００２０】
請求項８のボトル用付属具３０１（図８〜図１０の実施形態４参照）では、ボトル本体Ｂの首部の外挿される保持孔２を有する保持片部３、を有し、保持片部３に連続して、ボトル本体Ｂから開栓されたボトルキャップＣが粘着状に保持される粘着部３０５が設けられており、粘着部３０５又はその延長部の先端が、ボトル本体Ｂに閉栓されたボトルキャップＣの頭部に接着され、該接着された粘着部３０５又はその延長部とボトルキャップＣの間の空間が販促物品Ｈの保持空間７とされていることを特徴とする。
【００２１】
請求項９では、前記粘着部３０５の一部又は略全面部には、剥離紙６（６’）が剥離可能に設けられていることを特徴とする。
【００２２】
請求項８又は９のボトル用付属具３０１の先端をボトルキャップＣの頭部に接着させるためには、粘着テープ８による接着、接着剤による接着、又は、剥離紙６（６’）を省略した態様において、剥離紙のない粘着部の粘着面による接着により、接着させることができる。
【００２３】
上記ボトル用付属具３０１の使用方法を説明する。
ボトル用付属具３０１は、その保持孔２を開栓前のボトル本体Ｂの首部に掛けるとともに、全体として上向き略Ｕ状に折り曲げられたボトル用付属具３０１の先端部を、閉栓されたボトルキャップＣに接着させる。該接着させる時に、上向き略Ｕ状の保持空間７内に販促物品Ｈを挟持させるようにして保持させるようにする。
上記接着を解いて、販促物品Ｈを分離させ、開栓したボトルキャップＣを、粘着部２０５に粘着保持させる。
【００２４】
本発明に係るボトル用付属具１（１０１，２０１，３０１）において、粘着部５（１０５，２０５，３０５）に剥離紙はなくとも良い。
剥離紙がない場合には、ゴミが付着しないように、ボトルに装着前のボトル用付属具の全体を、プラスチックのシュリンクフィルムによりシュリンクして包装させるようにすれば良い。
【発明の効果】
【００２５】
本発明におけるボトル用付属具によれば、ボトルに保持される販促物品用の付属具に、開栓後のボトルキャップを粘着保持させるようにしたので、例えば、自動車の運転中における開栓後のボトルキャップの保持が容易且つ確実となり、一個のボトル用付属具により、ボトルキャップの保持とボトル用販促物品用の保持とを合わせて行わせることができ、その用途と機能を拡大させ、付加価値を高めることができる。
【００２６】
請求項１乃至３によるボトル用付属具によれば、販促物品が挿入される物品保持部としての袋部の表面に、ボトルキャップの粘着部を設けたので、全体としてコンパクトに形成させることができる。
【００２７】
請求項４及び５によるボトル用付属具によれば、ボトル本体の首部に外挿される保持孔を有する保持片部に連続してボトルキャップを粘着状に保持させる粘着部を設け、保持片部及び粘着部の外側辺に連続して、販促物品を保持する物品保持部としての袋部を設けるようにしているので、粘着部に開栓したボトルキャップを粘着保持させる時に、内部の販促物品が邪魔にならず、販促物品の取り出しの前後に係わらず、容易にボトルキャップを粘着保持させることができる。
また、販促物品を挿入するための袋部を十分大きく取ることができる。
【００２８】
請求項６及び７によるボトル用付属具によれば、開栓前のボトルのキャップ上に、ボトル用付属具をコンパクトに配置できる。
【００２９】
請求項７によれば、ボトルの開栓の前又は後に、切り取り線から袋部を容易に切除して、販促物品を分離させて入手できる。
【００３０】
請求項８又は９によるボトル用付属具によれば、販促物品のボトルに対する保持作業が容易となる。
また、剥離紙を省略した態様において、粘着部が販促物品の保持に役立ち、また、粘着部によりボトルキャップの頭部に接着することができる。
【図面の簡単な説明】
【００３１】
【図１】（Ａ），（Ｂ）は、本発明の実施形態１に係るボトル用付属具の平面図とＢ−Ｂ断面図である。
【図２】（Ａ），（Ｂ）は、上同ボトル用付属具の使用状態を示す斜視図である。
【図３】（Ａ），（Ｂ）は、上同ボトル用付属具の変形例の使用状態を示す斜視図である。
【図４】（Ａ），（Ｂ）は、本発明の実施形態２に係るボトル用付属具の平面図とＢ−Ｂ断面図である。
【図５】（Ａ），（Ｂ）は、上同ボトル用付属具の使用状態を示す斜視図である。
【図６】（Ａ），（Ｂ）は、上同ボトル用付属具の変形例の使用状態を示す斜視図である。
【図７】（Ａ），（Ｂ），（Ｃ）は、本発明の実施形態３に係るボトル用付属具の使用状態を示す斜視図である。
【図８】（Ａ），（Ｂ）は、本発明の実施形態４に係るボトル用付属具の平面図とＢ−Ｂ断面図である。
【図９】は、上同ボトル用付属具の使用状態を示す斜視図である。
【図１０】（Ａ），（Ｂ）は、上同ボトル用付属具の使用状態を示す斜視図である。
【発明を実施するための形態】
【００３２】
（実施形態１）
図１乃至３は、本発明の実施形態１に係るボトル用付属具を示す。
実施形態１に係るボトル用付属具１は、ボトル本体Ｂの首部に外挿される保持孔２を有する保持片部３と、保持片部３に接続され、内部に販促物品Ｈが挿入される袋部４と、を有し、袋部４の表面には、ボトル本体Ｂから開栓されたボトルキャップＣが粘着状に保持される粘着部５が設けられている。保持片部３と袋部４とは、平面視長方形の略矩形状に連続して形成されている。保持片部３は、略矩形のプラスチック製のシートや厚紙シートにより形成されている。
【００３３】
袋部４は、保持片部３の外側辺に沿って一体に接続される熱可塑性のプラスチック袋により形成され、袋部４の内部に前記販促物品Ｈが封入されている。
【００３４】
粘着部５は、袋部４の表面に形成され、粘着部５の粘着表面が剥離紙６によって覆われているとともに、剥離紙６の一部が、粘着部５から剥離可能とされている。剥離紙６は、ボトルキャップＣの外形に沿って円形状に形成され、切り込み線などの切り離し線によって、剥離紙の他の部分と切り離し自在とされている。
【００３５】
図３の変形例では、袋部４の矩形状とされた表面の全体に粘着剤による粘着部５が形成され、矩形状とされた剥離紙６’の全体が粘着部５から剥離可能とされている。
【００３６】
（実施形態２）
図４乃至６は、本発明の実施形態２に係るボトル用付属具を示す。
実施形態２に係るボトル用付属具１０１は、ボトル本体Ｂの首部に外挿される保持孔２を有する保持片部３と、ボトル本体Ｂから開栓されたボトルキャップＣが粘着状に保持される粘着部１０５と、が全体としてプラスチックシートや厚紙シートにより略矩形状に連続して設けられており、保持片部３及び粘着部１０５の連続する外側辺に連続して、内部に販促物品Ｈが挿入される袋部４が設けられていることを特徴とする。保持片部３及び粘着部１０５と袋部４とは、その平面形状が全体として略矩形状に形成されている。
【００３７】
粘着部１０５の一部にはボトルキャップＣの外形に沿った略円形状の剥離紙６が剥離可能に設けられている。袋部４は、保持片部３及び粘着部１０５の連続する外側辺に沿って一体に接続される熱可塑性のプラスチック袋により形成され、袋部４の内部に前記販促物品Ｈが封入されている。
【００３８】
図６の変形例では、粘着部１０５の略矩形状とされた表面の全体に粘着剤による粘着部１０５が形成され、矩形状とされた剥離紙６’の全体が粘着部１０５から剥離可能とされている。
【００３９】
（実施形態３）
図７は、本発明の実施形態３に係るボトル用付属具を示す。
実施形態３に係るボトル用付属具２０１は、図７（Ａ）の装着状態の展開図に示すように、ボトル本体Ｂの首部に外挿される保持孔２を有する保持片部３と、該保持片部３の一側に設けられ、ボトル本体Ｂから開栓されたボトルキャップＣが粘着状に保持される粘着部２０５と、保持片部３の他側に設けられ、販促物品Ｈが保持される袋部４よりなる物品保持部と、が保持片部３を中間位置として左右に粘着部２０５と袋部４とが全体として略長方形状に連続するように設けられている。
【００４０】
物品保持部は、内部に販促物品Ｈが挿入される袋部４により形成され、該袋部４と前記保持片部３とは、ミシン目などの易切り取り線９を介して容易に切り取り可能に設けられている。
【００４１】
図７（Ｃ）に示すように、ボトル用付属具２０１は、その中間の保持孔２を開栓前のボトル本体Ｂの首部に掛けるとともに、袋部４と粘着部２０５の両端を、上向き略Ｕ状に折り曲げて、閉栓されたボトルキャップＣに粘着テープ８により接着させる。このように接着させることにより、ボトルのキャップ上に、ボトル用付属具２０１をコンパクトに配置できる。
【００４２】
上記接着を解いて、開栓したボトルキャップＣを、粘着部２０５に粘着保持させる。また、開栓の前又は後に、切り取り線９から袋部４を切除して、販促物品Ｈを分離させて、容易に入手できる。
【００４３】
（実施形態４）
図８乃至１０は、本発明の実施形態４に係るボトル用付属具を示す。
実施形態４に係るボトル用付属具３０１は、ボトル本体Ｂの首部の外挿される保持孔２を有する略矩形状の保持片部３、を有し、保持片部３に連続して、ボトル本体Ｂから開栓されたボトルキャップＣが粘着状に保持される粘着剤を有する粘着部３０５が設けられている。保持片部３と粘着部３０５とは、全体としてプラズチックシートや厚紙シートにより略短冊状に連続して形成されている。粘着部３０５又はその延長部の先端が、ボトル本体Ｂに閉栓されたボトルキャップＣの頭部に、粘着テープ８を介して接着されている。該接着された粘着部３０５又はその延長部とボトルキャップＣの間の空間が販促物品Ｈの挟持用保持空間７とされている。粘着部３０５は、保持空間７の内部となるボトル用付属具３０１の裏面に形成されている。
【００４４】
粘着部３０５の一部又は全面には剥離紙６が剥離可能に設けられている。
【００４５】
ボトル用付属具３０１の先端をボトルキャップＣの頭部に接着させるためには、粘着テープ８による接着、接着剤による接着、又は、剥離紙６を省略した態様において、剥離紙のない粘着部の粘着面による接着により、接着させることができる。
【００４６】
上記実施形態１、２、３及び４のボトル用付属具１（１０１，２０１，３０１）の使用方法は、上記のとおりである。
【００４７】
実施形態２、３又は４において、実施形態１と共通する構成部分には共通する参照符号を付して、その詳細な説明は省略した。
【００４８】
本発明に係るボトル用付属具は、清涼飲料水用のペットボトル用付属具の他、各種プラスチックボトル、缶ボトル、アルコール飲料や液体調味料用のボトル用付属具にも適応できる。
【符号の説明】
【００４９】
１，１０１，２０１，３０１  ボトル用付属具
２  保持孔
３  保持片部
４  袋部
５，１０５，２０５，３０５  粘着部
６，６’  剥離紙
７  保持空間
８  粘着テープ
９  切り取り線
【図１】
2012240692.tif 000003
【図２】
2012240692.tif 000004
【図３】
2012240692.tif 000005
【図４】
2012240692.tif 000006
【図５】
2012240692.tif 000007
【図６】
2012240692.tif 000008
【図７】
2012240692.tif 000009
【図８】
2012240692.tif 000010
【図９】
2012240692.tif 000011
【図１０】
2012240692.tif 000012